(57)【特許請求の範囲】
【請求項１】
天井や梁下にこれから耐火シートを床面に垂下可能に設置し、火災等の必要時に、前記耐火シートを床面に垂下させ建築構造物等の内部空間を遮蔽する防火防煙シャッターにおいて、前記耐火シートの床面側端部両面に複数の重り用のバー部材を長手方向に所定間隔を有して挟み込むように取り付け、且つ一側面のバー部材の所定間隔と他側面のバー部材の所定間隔とが互い違いに位置するようにしたことを特徴とする防火防煙シャッター。
【請求項２】
前記複数の重り用のバー部材に長孔を開け、該長孔内を自在にスライドする留め具にて、前記複数のバー部材を前記耐火シートの床面側端部両面に取り付けてなる請求項１記載の防火防煙シャッター。
【請求項３】
前記留め具は、常温時における前記複数の重り用のバー部材の長孔の外側端部で位置決めし、前記耐火シートの床面側端部両面に前記複数のバー部材を取り付けてなる請求項２記載の防火防煙シャッター。
【請求項４】
前記複数の重り用のバー部材は、前記耐火シートの床面側端部両面に取り付けられた袋状物に収納されてなる請求項１〜３にいずれか１項記載の防火防煙シャッター。
【発明の詳細な説明】
【０００１】
【発明の属する技術分野】
本発明は、天井や梁下に設置した耐火シートに重りを付け、火災等の必要時重りにより耐火シートを垂下させ、建築構造物等の内部空間を遮蔽し、火災の延焼や煙の拡散を防止する防火防煙シャッターに関するものである。
【０００２】
【従来の技術】
建築構造物等の内部で、火災時の煙や火炎が拡散するのを防止する手段として、ガラスクロス等の耐火シートを使用した防火防煙シャッターが知られている。この防火防煙シャッター５０の基本構造は、図８に示すように、天井や梁下に重り５１を付けた耐火シート５２を床面に垂下可能に設置し、火災等の必要時、例えば、煙や所定温度以上の室温を検知したりあるいは手動により、天井や梁下から耐火シート５２を重り５１により床面に垂下させ、建築構造物等の内部空間を遮蔽するものである。この耐火シート５２の重り５１には、更に火災時に発生する風圧により耐火シート５２のまくれ上がりを防止している。
【０００３】
この耐火シート５２に取り付けられた重り５１は、通常１本ものの丸棒やフラットバーが用いられる。しかしながら、特開平９−２０３２８１号公報や特開平１０−３３７０５号公報には分割した重りが開示されている。前者には、耐火シートの下端を袋状にし、その中に分割した丸棒の重りを挿入する記載がある。また、後者の防火防煙シャッター５０ａは、逃げ遅れた人が重り５４と共に耐火シート５２を持ち上げかい潜らなくてもよいように、耐火シート５２にスリット部５３が垂直に設けられ、スリット部５３を押し広げ避難できるようになっているから、それに応じて重り５４は分割されている。すなわち、重り５４は、図９に示すように、耐火シート５２のスリット部５３に隣接する左右部分を除いて、耐火シート５２の下端にメインウエイトバー５５、５６が水平方向に取り付けられ、左右部分にサブウエイトバー５７、５８が取り付けられている。そして、避難した後はサブウエイトバー５７、５８の重力により、スリット部５３が閉じ、以後火災の延焼や煙の拡散を防止するというものである。
【０００４】
【発明が解決しようとする課題】
最近、図書館やホール、倉庫や工場のような広い空間に配置される防火防煙シャッターでは、図８及び図９における長さ寸法Ｌが１０ｍ以上に及ぶものが要求されることがある。このような防火防煙シャッターでは、当然のことながら重りも長いものが要求される。しかしながら、図８の防火防煙シャッター５０における重り５１の構造では、設置場所に搬入すること自体難しく、その取り付け工事も容易ではない。更に、高温に晒されると重り５１が変形して耐火シート５２と床面との間に隙間が生じ、火災の延焼や煙の拡散を有効に防止することが困難になる。
【０００５】
前述の公報例では、重りが分割されているから取り付け工事は容易となるものの、火災時の風圧により分割部分が折れ曲がるように変形して、分割部分や耐火シートの両端に隙間が生じる。従って、火災の延焼や煙の拡散を有効に防止することは困難である。
【０００６】
従って、本発明の目的は、広い空間に配置される長さ寸法の大きいものであっても容易に設置でき、しかも火災による風圧や温度上昇に伴う遮蔽状態の保持力低下を防止して、火災の延焼や煙の拡散を有効に防止できる防火防煙シャッターを提供することにある。
【０００７】
【課題を解決するための手段】
本発明者らは、上記目的を達成するため鋭意研究した結果、耐火シートの床面側端部両面に複数の重り用のバー部材を長手方向の所定間隔を有して挟み込むように取り付け、且つその際一側面のバー部材の所定間隔と他側面のバー部材の所定間隔とを互い違いに位置させ、バー部材に長孔を開け、長孔内を自在にスライドする留め具にて複数のバー部材を耐火シートの床面側端部両面に取り付ければ、防火シートの重りとなるバー部材の設置が容易となると共に、火災による風圧や温度上昇に伴う変形に抗し易くなることを見出し、本発明を完成するに至った。
【０００８】
すなわち、請求項１の発明は、天井や梁下にこれから耐火シートを床面に垂下可能に設置し、火災等の必要時に、前記耐火シートを床面に垂下させ建築構造物等の内部空間を遮蔽する防火防煙シャッターにおいて、前記耐火シートの床面側端部両面に複数の重り用のバー部材を長手方向に所定間隔を有して挟み込むように取り付け、且つ一側面のバー部材の所定間隔と他側面のバー部材の所定間隔とが互い違いに位置するようにしたことを特徴とする防火防煙シャッターを提供するものである。かかる構成を採ることにより、設置時はバー部材が複数に分割されているため分割搬入して設置することができ、設置後は複数のバー部材が一体となっているため、火災による風圧に対して折れ曲がり変形が無く耐火シートと床面や壁面との間に隙間が発生しない。
【０００９】
また、請求項２の発明は、前記複数の重り用のバー部材に長孔を開け、該長孔内を自在にスライドする留め具にて、前記複数のバー部材を前記耐火シートの床面側端部両面に取り付けてなる防火防煙シャッターを提供するものである。かかる構成を採ることにより、上記機能に加えて、火災による高熱によって生じる反りや熱膨張等の変形を長孔内を自在にスライドする留め具にて吸収するため、耐火シートと床面や壁面との間に隙間が発生しない。
【００１０】
また、請求項３の発明は、前記留め具は、常温時における前記複数の重り用のバー部材の長孔の外側端部で位置決めし、前記耐火シートの床面側端部両面に前記複数のバー部材を取り付けてなる防火防煙シャッターを提供するものである。かかる構成を採ることにより、上記機能に加えて、火災による高熱によって生じる熱膨張を吸収するため、耐火シートと床面との間に隙間が発生しない。また、バー部材は一体となっているためそれ以上延びず、このため耐火シートが撓むことがない。
【００１１】
また、請求項４の発明は、前記複数の重り用のバー部材は、前記耐火シートの床面側端部両面に取り付けられた袋状物に収納されてなる防火防煙シャッターを提供するものである。かかる構成を採ることにより、袋状物に複数のバー部材を収納させて取り付けることができ、施工が容易となる。
【００１２】
【発明の実施の形態】
次に、本発明の実施の形態における防火防煙シャッターを図１〜図７に基づいて詳述する。図１は本発明の実施の形態である防火防煙シャッターを示す斜視図、図２は本発明の実施の形態である防火防煙シャッターの設置状態を示す横断面図、図３は図２の防火防煙シャッター下部を拡大した斜視図である。図において、防火防煙シャッター１は、天井や梁下に設置され、火災等の必要時に、自重あるいは重りにより天井や梁下から耐火シート２がガイド３により導かれ床面に垂下して建築構造物等の内部空間を遮蔽する。この耐火シート２は不図示の巻取装置により巻き上げ、巻き下げられるものである。防火防煙シャッター１の耐火シート２は、その床面側端部両面には複数の重り用のフラットバー４、５が長手方向の所定間隔６、７を有して挟み込むように取り付けられ、且つその際一側面のフラットバー４の所定間隔６と他側面のフラットバー５の所定間隔７とが互い違いに位置している。
【００１３】
前記耐火シート２は、ガラス繊維の織布やシリカクロス等の不燃、耐火材料により構成されている。耐火シート２の床面側端部両面に複数のフラットバー４、５を取り付ける方法は、以下の通りである。すなわち、フラットバー４、５の長手方向端部に長孔４ａ、５ａを設け、これらの長孔４ａ、５ａ内に留め具１０をスライド自在に留めて取け付る。留め具１０は、この実施形態ではボルト１１とナット１２で構成され、ボルト１１をフラットバー４の長孔４ａ、耐火シート２に開けた孔２ｂ、フラットバー５の長孔５ａに順次通し、ナット１２を締めつければ、耐火シート２の床面側端部両面に複数のフラットバー４、５を取り付けることができる。そして、複数の重り用のフラットバー４、５は、所定間隔６、７を有しているものの、あたかも１本の重りバーと同じように形成される。なお、ナット１２の締めつけ具合は、フラットバー４、５の長孔４ａ、５ａ内をボルト１１がスライドできる程度であればよい。従って、ボルト１１は、図４に示すように、ネジ１１ａが途中まで切られている。また、留め具１０としては、この実施形態ではボルト１１とナット１２で構成されるが、これに限定されず、同様の作用を奏する他の構造であってもよい。
【００１４】
そして、この留め具１０は、常温時における複数のフラットバー４、５の長孔４ａ、５ａの外端部側で位置決めされ、この留め具１０により、耐火シート２の床面側端部両面に複数のフラットバー４、５が取り付けられている。このように構成することで、火災による高熱によって生じる熱膨張（図３中矢線Ａ方向に伸びる）を長孔４ａ、５ａ内を留め具１０がスライドして吸収しフラットバー４、５の反りや変形を防止する。このため、耐火シート２と床面との間に隙間が生じることはない。また、フラットバー４、５に所定間隔６、７を設けたことにより、熱膨張の変形にも対応でき、ボルト１１やボルト１１による固定部分を破損させることがなく、また耐火シート２も撓まない。
【００１５】
前記フラットバー４、５は、火災時に設置場所である天井や梁下から耐火シート２を垂下させるのに充分な重量があることが必要であり、更に、火災時の風圧により耐火シート２が容易にまくれ上がらないだけの重量も必要である。しかしながら、あまり重くすると、逃げ後れた人が避難できなくなるおそれがあるから、必要最小限の重さにする必要がある。
【００１６】
図６及び図７は、前記複数の重り用のフラットバー４、５の他の取り付け方法を示すものである。すなわち、前記耐火シート２の床面側端部両面には袋状物２０が取り付けられ、その袋状物２０にはスリット２１が形成され、そのスリット２１からフラットバー４、５が袋状物２０内に収納される。フラットバー４、５はその状態で保持されるから、フラットバー４の長孔４ａ、耐火シート２の孔２ｂ、重り用フラットバー４の長孔５ａを合わせることは比較的容易に行える。その後は図３のボルト１１を袋状物２０の上からこれらの孔に通し、ナット１２で締めつければ、耐火シート２にフラットバー４、５を取り付けることができる。この方法によれば、作業効率が極めて高くなる。すなわち、袋状物を設けないと、フラットバーを持つ作業者が２人、ボルト締め作業者が１人必要となるが、フラットバーは容易に袋状物に挿入、保持できるから作業者は１人でよい。また、見た目も綺麗である。
【００１７】
なお、図５〜図７中、耐火シート２の床面側端部が袋状２ａになっているのは、床面２２との隙間を無くし、煙が漏れないようにするためである。
【００１８】
次に、上記実施の形態における防火防煙シャッター１の使用方法を説明する。まず、防火防煙シャッター１の耐火シート２に重り用のフラットバー４、５を、長手方向の所定間隙６、７を有し、且つ長孔４ａ、５ａの外端部側に位置決めし、留め具１０にて取り付ける。次に、建築構造物等の内部空間を遮蔽する位置の天井や梁下に防火防煙シャッター１を設置する。火災が発生すると図示しない巻取装置のロック状態が自動あるいは手動で解除され、重り用のフラットバー４、５の重さにより設置場所の天井や梁下から耐火シート２が垂下して建築構造物等の内部空間を遮蔽する。この状態では耐火シート２が床面２２（図４参照）に密着して、閉鎖状態にあるから、火炎や煙を遮蔽している。逃げ遅れた避難者はフラットバー４、５及び耐火シート２をめくり上げて避難することができ、そのあとは再び耐火シート２が床面２２に密着して、閉鎖状態になり火炎や煙を遮蔽する。火災が進行して高温とそれに伴う風圧が耐火シート２を襲い、フラットバー４、５を熱膨張させるが、留め具１０や所定間隔６、７により防ぎ、更に、耐火シート２を押し曲げようとするが、一体となったフラットバー４、５により耐火シート２は曲がらず、建築構造物等の内部空間の遮蔽状態を維持し、火炎や煙が遮蔽される。火災が鎮火したあと、防火防煙シャッター１の変形や撓りが少ない構造であるから、被害が少ない状態が予測され、建物全体の被害も少なければ、防火防煙シャッター１を再び使用することができる。
【００１９】
本発明において、バー部材としては、上記実施の形態例で使用するフラットバー以外に、例えば、断面がＬ状のＬアングルや、断面が略Ｃ状にＣ型鋼などが挙げられる。
【００２０】
以上、本発明の実施形態を説明したが、具体的な構成はこれに限定されず、例えば、耐火シートに避難扉を設ける等、本発明の趣旨を逸脱しない範囲内での変更、追加は本発明の範囲内である。
【００２１】
【発明の効果】
請求項１の発明によれば、設置時は重り用のバー部材が複数に分割されているから分割搬入して設置することができ、設置後は複数のバー部材が一体化しているため、火災による風圧に対して折れ曲がり変形が無く、耐火シートと床面や壁面との間に隙間が生じることもない。従って、搬入設置が容易となり、特に耐火シートの幅が大きく、１本もののバー部材では長過ぎるものに効果が高く、火災によって発生する風圧や温度上昇に伴う遮蔽状態の保持力低下を防止して、人の避難を担保しつつ、避難後の延焼や煙の拡散を有効に防止することができる。
【００２２】
請求項２の発明によれば、火災による高熱によって生じる反りや熱膨張等の変形を長孔内を自在にスライドする留め具にて吸収して、耐火シートと床面や壁面との間には隙間が発生しない。従って、上記効果に加えて、重り用のバー部材の反りや熱膨張等の変形がないから、温度上昇に伴う遮蔽状態の保持力低下が無く、延焼や煙の拡散を有効に防止することができる。
【００２３】
請求項３の発明によれば、火災による高熱によって生じる熱膨張を吸収し耐火シートと床面との間に隙間が生じないばかりか、風圧により一体となった重り用のバー部材がそれ以上延びず、耐火シートは撓むことがない。従って、上記効果に加えて、耐火シートの撓みによる遮蔽状態の低下が無く、延焼や煙の拡散を有効に防止できる。
【００２４】
請求項４の発明によれば、袋状物に複数の重り用のバー部材を収納させれば取り付けができる。従って、上記効果に加えて、耐火シートに複数のバー部材を取り付けるのが極めて容易となり、その分現場での作業が減り、製品の品質とコストダウンが図れる。
【図面の簡単な説明】
【図１】本発明の実施の形態である防火防煙シャッターを示す斜視図である。
【図２】本発明の実施の形態である防火防煙シャッターの設置状態を示す横断面図である。
【図３】図２の防火防煙シャッター下部を拡大した斜視図である。
【図４】図２の防火防煙シャッターを構成する留め具の装着状態を示す断面図である。
【図５】本発明の実施の形態である防火防煙シャッターを構成する他の耐火シート下部の断面図である。
【図６】本発明の実施の形態である防火防煙シャッターを構成する他のフラットバーの取り付け状態を示す断面図である。
【図７】本発明の実施の形態である防火防煙シャッターを構成する他のフラットバーの取り付け状態を示す斜視図である。
【図８】従来例を示す斜視図である。
【図９】従来例を示す斜視図である。
【符号の説明】
１、５０、５０ａ      防火防煙シャッター
２、５２              耐火シート
２ａ                  袋状
３                    ガイド
４、５                フラットバー（バー部材）
４ａ、５ａ            長孔
６、７                所定間隔
１０                  留め具
１１                  ボルト
１２                  ナット
２０                  袋状物
２１                  スリット
２２                  床面
５１、５４            重り
５３                  スリット部
５５、５６            メインウエイトバー
５７、５８            サブウエイトバー
【図１】
0003638826.tif 000002
【図２】
0003638826.tif 000003
【図３】
0003638826.tif 000004
【図４】
0003638826.tif 000005
【図５】
0003638826.tif 000006
【図６】
0003638826.tif 000007
【図７】
0003638826.tif 000008
【図８】
0003638826.tif 000009
【図９】
0003638826.tif 000010